(57)【特許請求の範囲】
【請求項１】
表示手段と、発呼・終話キー、テンキー、機能選択キーを含む入力手段と、前記テンキーの各キーに対応した音を格納する格納手段と、音発生手段と、通信手段とを有する電話機において、初期状態において前記通信手段を用いて第三者と通信を行う電話モードを選択し、該電話モードにおいて前記機能選択キーの操作により前記テンキーの押下に応じて押下されたキーに対応する音を出力すべく前記音発生手段を駆動する特定モードに移行し、該特定モードにおいては前記機能選択キーの操作による前記電話モードへの移行を禁止し、前記発呼・終話キーの操作により前記電話モードに移行することを特徴とする電話機。
【発明の詳細な説明】
【０００１】
【発明の属する技術分野】
本発明は、表示手段と入力手段と音発生手段を有する、携帯に好適な電話機に関する。
【０００２】
【従来の技術】
近年特開平７−２０２９９４号公報などに示されるように、電話機においては複数の音を呼び出し条件等に応じて選択的に異ならせたり、あるいは悪戯電話防止のために相手方に録音した音などを送出したりすることがなされており、電話機そのものも多機能化している。
【０００３】
【発明が解決しようとする課題】
しかし、電話機で用いる呼び出し音やメロディーは、曲の長さ、節回しが良く似たものが使われるので、特に携帯に用いる電話では、所持する本人も上着の内ポケットや鞄の中など、呼び出し音がなっても直ちに自分の電話機と他人の電話機との区別がつかないことが多い。また、携帯しているからといって、相手と電話するとき以外には単に荷物になるだけで、むやみに内蔵メロディーを鳴らしてみても、興味も話題性もない。しかしながら自分で勝手に作成した音声をその都度録音するのは煩わしく、また例え本来の用途が悪戯電話防止のようなものであっても、適当に電話をしてそのような特別な音声を相手に流すのは悪戯電話を助長するようで不都合である。さらに多機能化によって本来の通話機能を損なうようなことでは、電話機として不都合である。
【０００４】
【課題を解決するための手段】
本発明は上述の点を考慮して成されたものであって、表示手段と、発呼・終話キー、テンキー、機能選択キーを含む入力手段と、前記テンキーの各キーに対応した音を格納する格納手段と、音発生手段と、通信手段とを有する電話機において、初期状態において前記通信手段を用いて第三者と通信を行う電話モードを選択し、該電話モードにおいて前記機能選択キーの操作により前記テンキーの押下に応じて押下されたキーに対応する音を出力すべく前記音発生手段を駆動する特定モードに移行し、該特定モードにおいては前記機能選択キーの操作による前記電話モードへの移行を禁止し、前記発呼・終話キーの操作により前記電話モードに移行することを特徴とする電話機。
【０００８】
【発明の実施の形態】
図１は本発明実施例の電話機のブロック図で、ＰＨＳ（Ｐｅｒｓｏｎａｌ  Ｈａｎｄｙ−ｐｈｏｎｅ  Ｓｙｓｔｅｍ）という呼び名の第２世代コードレス電話システムの公衆用の端末機を例にとっているが、コードレス電話システムの子機などであってもよい。このような電話機の要部の構成を説明する。
【０００９】
図１に於いて、１は、アンテナを介して公衆用基地局あるいは親機、他の子機からの電波を受信する受信回路である。２は送信回路であり、後述のチャネル・音声コーデック３からの信号をアンテナを介して公衆用基地局などへ発信する送信回路である。４はＰＬＬ回路であり、受信回路１と送信回路２の送受信周波数を変える働きをする。３はチャネル・音声コーデックであり、チャネルコーデック部（図示せず）と音声コーデック部（図示せず）が１つのＩＣに組み込まれている。チャネルコーデック部はＴＤＭＡ／ＴＤＤ（時分割多重接続／時分割複信）処理、ＣＲＣエラーの検出、ＱＰＳＫ方式の復調等を行う。音声コーデック部は音声を圧縮・伸張したり、アナログとディジタルの変換を行う。
【００１０】
これら受信回路１、送信回路２、チャネル・音声コーデック３、ＰＬＬ回路４は、電話通話に直接関与する手段であっていわゆる通信手段５を構成する。通話を例に取ると、通信手段５で受信した電気信号を通話信号として増幅回路６１で増幅してスピーカ６２に再生伝達し、マイクロホン６３の出力を増幅回路６４で増幅してで通話信号として送信する。
【００１１】
７はマイクロプロセッサからなる制御回路であり、動作のプログラムを記憶したＲＯＭ（マイクロプロセッサと一体化される場合があるので、ここでは図示せず）に基づき各部を制御する。制御回路７は、図示しなかったＲＯＭなど必要であればその周辺構成部品と共に、制御手段を構成する。またこの制御回路７は、音声合成回路も内蔵しているが、音声合成回路を制御回路７から分離独立させて構成してもよい。この制御回路７の音声合成された出力は発音体７１で再生出力されるが、発音体７１に代わってスピーカ６２を兼用してもよい。
【００１２】
８はＲＡＭ、ＲＯＭなど好ましくは半導体素子からなる記憶手段で、制御回路７の動作に必要な情報、例えば公衆電話番号、位置登録フラグ（変数Ｆの値）ならびに模擬音、驚愕音などの非音楽的な特殊音の音声合成パターンなどの情報を記憶する。制御回路７と記憶手段８の模擬音、驚愕音などの非音楽的な特殊音関連部分及び発音体７１は、模擬音、驚愕音などの非音楽的な特殊音の音発生手段９を構成する。
【００１３】
１０は入力手段であり、電話番号入力や、公衆用基地局などを呼び出す操作、あるいはモード設定などをおこなう。この入力手段は、発呼・終話キー（発呼を行うキー、リダイヤルキー、終話キーなどの通話開始や通話終了に関するキーであって、単独機能または兼用キー）１０ａと、テンキー、＃キー、＊キーなどのダイヤルキー１０ｂと、機能選択、保留、音量調整、電話帳などの機能キー１０ｃに大きく分類される。１１は表示手段で、１列の固定文字・記号および３段のドットマトリクス表示部を有する液晶表示器からなる。固定文字（記号を含む）は電話のマーク（通話呼び出し中）アンテナ（通話圏内の電波強度表示）カナ・英（入力モード）公衆・家庭・トランシーバの記号（通話モード）および電池残量などであって、これらの固定文字を選択的に表示させる。
【００１４】
このような構成において、本発明に関する制御回路７のプログラムに沿った動作を、図２にしたがって詳細に説明する。
【００１５】
まず、携帯型の電話においては着信を待ついわゆる待ち受け状態があるが、そのような非通話、本体通電状態から、モード入力にはいる手順から説明する。モード入力とは、ファンクションの設定・変更及び電話として以外の使用に関する状態を言い、入力手段１０の機能キー１０ｃの機能選択キーＦを操作するＳ１ことによって開始される。
【００１６】
そして本発明にあっては、機能選択キーＦが２度押さえられる（図２のステップＳ１、Ｓ２）ことによって制御回路７は通信手段に係わらない表示手段、入力手段、音発生手段などを用いた特定モードを選択し、特定モード名の表示（ステップＳ３）をする。ここに特定モードとは、所有者やその友人たちで電話機を使って、待ち時間などの時間潰しや交友を深めるのに利用できる、例えばゲーム機能や模擬音、驚愕音などの非音楽的な特殊音の発生が可能な機能を用いるモードのことであり、このステップの例としては、表示手段１１のドットマトリクス表示部に「ＴＯＹモード」「１：ゲーム」「３：ジョーク」と表示させ、特定モードの中にゲーム機能と模擬音、驚愕音などの非音楽的な特殊音発生機能があることを示す。
【００１７】
この状態でテンキーの３が操作されると模擬音、驚愕音などの非音楽的な特殊音の鳴動が選択された（ステップＳ４Ｙ）として、制御回路７は入力手段１０に対しては、ダイヤルキー１０ｂと、「音量制御キー」と、その特定モードの終了に係わるキーとして「終話キー」のみの監視にはいる。ダイヤルキー１０ｂの操作に応じて例えば「０」キーを操作すればブーイングのつぶやきを音発生手段９をして出力（ステップＳ５）し、出力中に「音量制御キー」が操作されればそれに合わせて音量調節する。その後そのままキーの監視を続行する。同様にして、「１」キーであればコメディカルな笑い声、「２」キーであれば観衆のざわめきなど、以下同様に、笛のけたたましい音、怒ったときのどなり声、あーという溜め息、アチョーという攻撃の声など比較的短い合成音を出力するが、「終話キー」が押される迄はこのループを継続する（ステップＳ６Ｎ）。従って、電話通信の開始、終了などを印象付けられたキー以外のキーの操作により、この特定モードの中にあれば簡単に次々と音の発生が行え、この場合発呼・終話キーは用いないので電話機能や通話を誤ることはなく、仲間と楽しい会話などを継続でき、あるいは待ち時間を費やすことができる。
【００１８】
「終話キー」が操作されると電話モード（待ち受け状態）に戻るのではなく特定モード名表示（ステップＳ３）に戻るので、効果音の後に続けてゲームを楽しむことができる（ステップＳ４Ｎ，Ｓ７，Ｓ８）。ゲームは、表示手段１１のドットマトリクス表示部とダイヤルキー１０ｂを用いて行うことができるが、電池の消耗を考慮すると、一定時間内に得点を競うものなどが好ましい。特定モード名表示において「終話キー」を操作すると初めて、特定モード並びにモード入力を終了して待ち受け状態に戻る。但し、これらのモードにあるときも、通信手段５は通話圏内サーチと着信検出は行っており、着信検出を行ったときは制御回路７に割り込みを掛けて強制的にモード終了して、着信処理にはいる。
【００１９】
即ち、この特定モードにあるときは、入力手段１０によっては直接モード終了できないというもので、これにより制御回路７はダイヤルキー１０ｂとその特定モードの終了に係わるキー以外の通信に関する入力手段の応答を行わない。従って特定モードではキー入力をしても電話機能に影響を与えないように出来るものである。また特定モードの選択・終了において、通信手段に係わらない入力手段の操作に応答し通信手段に係わらない特定モードを選択し、発呼・終話キーの操作で当該特定モードを終了する制御手段を有したもので、かかる特定モードの終了で電話機能が有効になることを利用者に印象付けるものである。
【００２０】
また、待ち受け状態でモード入力にはいることを先に述べたが、従来技術で述べた様に状況によって音の種類が選択できる。然し乍ら本発明にあっては、制御回路７は、通信手段５を介しては模擬音、驚愕音などの非音楽的な特殊音が出力されないようにしている。
【００２１】
これは図２において、機能選択キーＦが操作された後（ステップＳ１）、コード入力によって音の種類が選択できるようにしてあり、Ｆ１３＝アラーム音の選択、Ｆ１５＝指定コール着信音の設定、Ｆ８０＝着信音の変更に関しては特定音設定（ステップＳ１１Ｙ）としてこれら模擬音、驚愕音などの非音楽的な特殊音とあらかじめ準備されたメロディなどから好みの音が選択できる（ステップＳ１２）。然し乍ら同じ様に音の設定であっても、Ｆ８５＝保留音の変更は模擬音、驚愕音などの非音楽的な特殊音は選択できないし、警告音に近いハンドオーバー音、接続中音は変更することもできない。
【００２２】
このようにすることで、このような特殊音はあくまで所有者を中心に直接その場に居合わせた者が利用できるようにするものである。従って誰が掛けてきたか不明な電話でいきなり驚愕するような音を聞かされることもなく、逆に自分だけの模擬音、驚愕音などの非音楽的な特殊音で着信を知ることができる。
【００２３】
【発明の効果】
以上の如く、通信手段に係わらない表示手段、入力手段、音発生手段などを用いた特定モードの選択で、その特定モードの終了に係わるキー以外の通信に関する入力手段の応答を行わないので、所有者やその友人たちで電話機を使って、待ち時間などの時間潰しや交友を深めるのに利用でき、キー入力をしても電話機能に影響を与えない。また通信手段に係わらない入力手段の操作に応答し通信手段に係わらない特定モードを選択し、発呼・終話キーの操作で当該特定モードを終了するので、かかる特定モードの終了が電話機能の有効になることを印象付けるものである。
【００２４】
また音発生手段は模擬音、驚愕音などの非音楽的な特殊音の発生手段を有し、通信手段に係わらない特定モードの選択で模擬音、驚愕音などの非音楽的な特殊音を発生できるようにするとともに、通信手段を介しては特殊音が出力されないので、このような特殊音はあくまで所有者を中心に直接その場に居合わせた者が利用できると印象づけられ、本人の見えないところでは悪戯心を刺激しない。そして特定モードの選択後のダイヤルキーの操作で特殊音を出力するので、電話通信の開始、終了などを印象付けられたキー以外のキーの操作により、この特定モードの中にあれば簡単に次々と音の発生が行えるものである。
【図面の簡単な説明】
【図１】本発明の実施例の電話機の要部の構成を示すブロック図である。
【図２】本発明の要部フローチャートである。
【符号の説明】
１        受信回路
２        送信回路
３        チャネル・音声コーデック
４        ＰＬＬ回路
５        通信手段
７        制御回路
８        記憶手段
９        音発生手段
１０        入力手段
１０ａ        発呼・終話キー
１０ｂ        ダイヤルキー
１０ｃ        機能キー
１１        表示手段
【図１】
0003561617.tif 000002
【図２】
0003561617.tif 000003